(57)【要約】      （修正有）【課題】扱いやすく、運びやすいハンドヘルドすくい上げ成形器具を提供する。【解決手段】すくい上げ成形器具は、雪成形部１０２と、第１の中空剛性軸部分１０６と、複数の付加的な中空剛性軸部分１０８ａ〜１０８ｃと、ハンドルと、を備える。雪成形部は、すくい上げパネルと、背面パネルと、第１の側壁と、第２の側壁と、底面パネルと、を備える。すくい上げパネル１１０は、複数の歯を有した遠位端を備える。背面パネルは、すくい上げパネルに対向し、第１の側壁は、第２の側壁に対向する。底面パネルは、すくい上げパネル、背面パネル、第１及び第２の側壁に連結されるか又は一体化される。第１の中空剛性軸部分は、雪成形部に着脱可能に連結される。複数の付加的な中空剛性軸部分は、第１の中空剛性軸部分又は付加的な中空剛性軸部分のいずれかの中に入れ子状に配置される。ハンドルは、付加的な中空剛性軸部分のうちの１つに連結されるか又は一体化される。【選択図】図１
0003216520.tif 000002
【実用新案登録請求の範囲】
【請求項１】
ハンドヘルドすくい上げ成形器具において、
雪成形部であって、
複数の歯が外側に延びる遠位器具端部を備えるすくい上げパネルと、
概して、前記すくい上げパネルに対向する背面パネルと、
第１の側壁と、
前記第１の側壁に実質的に対向する第２の側壁と、
前記すくい上げパネル、
前記背面パネル、
前記第１の側壁、及び、
前記第２の側壁
に連結され一体化された底面パネルと、
を備えた前記雪成形部と、
前記雪成形部に着脱可能に連結された第１の中空剛性軸部分と、
複数の付加的な中空剛性軸部分であって、それぞれが、前記第１の中空剛性軸部分及び別の複数の付加的な中空剛性軸部分のうちの少なくとも１つの中に入れ子状に配置された、前記複数の付加的な中空剛性軸部分と、
前記付加的な中空剛性軸部分のうちの少なくとも１つの端部に連結され一体化されたハンドルと、
を備える前記器具。
【請求項２】
前記背面パネルが背面パネルボアを備え、
前記第１の中空剛性軸部分が、前記すくい上げパネルから、前記背面パネルボアを通って延びる、
請求項１に記載の器具。
【請求項３】
前記背面パネルボアが背面パネル楕円を備え、
前記背面パネル楕円が、
長手方向軸線と、
前記長手方向軸線によって切り分けられた対向する１対の背面パネル楕円面と、
を備え、
前記背面パネル楕円面のそれぞれの中央部が、直線部分を含み、
前記直線部分が実質的に平行である、
請求項２に記載の器具。
【請求項４】
前記底面パネルが、上面と、近位端と、遠位端と、第１の端部と、第２の端部と、を備え、
前記近位端が前記遠位端に対向し、
前記第１の端部が前記第２の端部に対向し、
前記近位端及び前記遠位端が、前記第１の端部及び前記第２の端部に対して実質的に直交し、
前記すくい上げパネルが、前記遠位端から第１の方向に、前記上面に対して第１の鈍角をなして延び、
前記背面パネルが、前記近位端から第２の方向に、前記上面に対して第２の鈍角をなして延び、前記第２の方向が前記第１の方向とは異なる、
請求項１に記載の器具。
【請求項５】
前記第１の側壁が、前記第１の端部から、前記上面に対してほぼ直角及び鈍角のうちの１つをなして延び、
前記第２の側壁が、前記第２の端部から、前記上面に対してほぼ直角及び鈍角のうちの１つをなして延び、
前記すくい上げパネル、前記背面パネル、前記第１の側壁、前記第２の側壁、及び前記底面パネルが、雪収容空間を画定する、
請求項４に記載の器具。
【請求項６】
前記背面パネルが背面パネル前面を備え、
前記すくい上げパネルが、すくい上げパネル前面を備え、
前記すくい上げパネル前面に対する前記背面パネル前面の角度が、０度よりも大きく１８０度よりも小さい、
請求項５に記載の器具。
【請求項７】
前記角度が９０度〜１２０度の角度を有する、請求項５に記載の器具。
【請求項８】
前記第１の中空剛性軸部分が、器具のすくい上げ位置において、前記すくい上げパネルに連結され、
前記第１の側壁及び前記第２の側壁のうちの少なくとも１つには、少なくとも１つの軸収容ボアが含まれ、
前記少なくとも１つの軸収容ボアが、器具の搬送位置にある前記第１の中空剛性軸部分及び前記複数の付加的な中空剛性軸部分を収容する、
請求項３に記載の器具。
【請求項９】
前記ハンドルが、前記付加的な中空剛性軸部分に対して実質的に直交するように延び、
前記ハンドルが、前記器具のすくい上げ位置の近位器具端部に配置される、
請求項８に記載の器具。
【請求項１０】
前記第１の側壁には第１の軸収容ボアが含まれ、
前記第２の側壁には第２の軸収容ボアが含まれ、
前記第１の中空剛性軸部分及び前記複数の付加的な中空剛性軸部分が、前記器具の搬送位置にある前記第１の軸収容ボア及び前記第２の軸収容ボアを通って延びる、
請求項８に記載の器具。
【請求項１１】
前記第１の軸収容ボア及び前記第２の軸収容ボアがそれぞれ、側壁楕円を備え、
前記側壁楕円が、
長手方向軸線と、
前記長手方向軸線によって切り分けられた対向する１対の側壁楕円面と、
を備え、
前記側壁楕円面の中央部が直線部分を含み、
前記対向する１対の側壁楕円面の前記直線部分が、実質的に平行である、
請求項１０に記載の器具。
【請求項１２】
前記第１の中空剛性軸部分及び前記複数の付加的な中空剛性軸部分の断面が、軸楕円を有し、
前記軸楕円が、
長手方向軸線と、
前記長手方向軸線によって切り分けられた対向する１対の軸楕円面と、
を備え、
前記軸楕円面の中央部が直線部分を含み、
前記対向する１対の軸楕円面の前記直線部分が、実質的に平行である、
請求項１１に記載の器具。
【請求項１３】
さらに、軸連結機構を備え、該軸連結機構が、前記背面パネルボアに対向する前記すくい上げパネルに連結され一体化され、前記軸連結機構が、前記器具のすくい上げ位置にある前記第１の中空剛性軸部分の第１の端部を受け入れる、請求項８に記載の器具。
【請求項１４】
前記軸連結機構及び第１の中空剛性軸のうちの一方が、付勢具及び１対のプランジャのうちの少なくとも１つを備え、前記軸連結機構及び第１の中空剛性軸のうちの他方が、前記プランジャを収容する１対のプランジャボアを備える、請求項１３に記載の器具。
【請求項１５】
前記第１の中空剛性軸部分及び前記複数の付加的な中空剛性軸部分が、伸縮軸を備え、前記付加的な中空剛性軸部分がそれぞれ、１対の付勢プランジャ及び１対のボアのうちの少なくとも１つを備え、前記１対のボアがそれぞれ、隣接する中空剛性軸部分の１対の付勢プランジャを収容するためのものである、請求項１４に記載の器具。
【請求項１６】
ショベルを拡張する方法において、
ショベルヘッドから複数の剛性軸部分を取り外すステップと、
前記複数の剛性軸部分のうちの少なくとも１つの剛性軸部分の遠位端をショベルヘッドボアに通すステップと、
前記少なくとも１つの剛性軸部分の前記遠位端を前記ショベルヘッドに連結するステップと、
前記複数の剛性軸部分を伸縮自在に拡張するステップと、
を含む前記方法。
【請求項１７】
前記複数の剛性軸部分を取り外すステップが、前記複数の剛性軸部分を、少なくとも１つのショベルヘッド側壁の側壁ボア内に摺動させるステップを含む、請求項１６に記載の方法。
【請求項１８】
さらに、前記複数の剛性軸部分を前記ショベルヘッドから取り外す前に、ステップ前記複数の剛性軸部分を１対の側壁ボアに配置するステップを含む、請求項１７に記載の方法。
【請求項１９】
前記ショベルヘッドボアが、実質的に平行な１対のショベルヘッドボア中央部を備え、
前記側壁ボアが、実質的に平行な１対の側壁ボア中央部を備え、
前記複数の剛性軸部分の断面が、実質的に平行な１対の軸中央部を備え、
前記複数の剛性軸部分を１対の側壁ボアに配置するステップが、前記実質的に平行な１対の軸中央部を、実質的に平行な１対の側壁ボア中央部と位置合わせするステップを含み、
前記複数の剛性軸部分のうちの少なくとも１つをショベルヘッドボアに通すステップが、実質的に平行な１対の軸中央部を、前記実質的に平行なショベルヘッドボア中央部と位置合わせするステップを含む、
請求項１に記載の方法。
【請求項２０】
前記ショベルヘッドが、すくい上げパネルを備え、
前記少なくとも１つの剛性軸部分の前記遠位端を前記ショベルヘッドに連結するステップが、前記軸部分の前記遠位端を前記すくい上げパネルに連結するステップを含む、
請求項１６に記載の方法。
【請求項２１】
携帯用雪成形システムにおいて、
底面に対向して配置された上面を備え、実質的に平らな底面パネルと、
遠位端と、
すくい上げパネルと、
前記すくい上げパネルに対向して配置された背面パネルであって、前記すくい上げパネルと前記背面パネルとの間に前記底面パネルが配置される、前記背面パネルと、
第１の側壁と、
前記第１の側壁内に配置された第１の軸収容ボアと、
前記第１の側壁に対向して配置された第２の側壁であって、前記第１の側壁と前記第２の側壁との間に前記底面パネルが配置され、前記第１の側壁及び前記第２の側壁が、前記底面パネルから、前記底面パネルの底面とは反対の方向に延びる、前記第２の側壁と、
前記第２の側壁内に配置された第２の軸収容ボアと、
前記すくい上げパネルに着脱可能に連結することができる第１の中空剛性軸部分と、
複数の付加的な中空剛性軸部分であって、それぞれが、前記第１の中空剛性軸部分及び別の複数の付加的な中空剛性軸部分のうちの少なくとも１つの中に入れ子状に配置された、前記複数の付加的な中空剛性軸部分と、
を備え、
器具の搬送位置において、前記第１の中空剛性軸部分及び前記複数の付加的な中空剛性軸部分が、前記第１の軸収容ボア及び前記第２の軸収容ボアを通って延びる
前記システム。
【考案の詳細な説明】
【技術分野】
【０００１】
本出願は、２０１５年６月２日に出願され、「雪を成形する装置、システム及び方法」という名称の米国仮特許出願第６２／１６９，９６７号の優先権を主張し、当該仮特許出願は、全体として参照により本明細書に援用される。
【０００２】
本出願は、物をすくい上げ成形するハンドヘルド器具に関する。具体的には、本出願は、拡張可能な除雪用ショベルに関するが、これは、本考案を限定するものではない。
【背景技術】
【０００３】
テレインパーク（Terrain parks、地形公園）は、スノースポーツ愛好家、例えば、スキーヤー、スノーボーダー及びスノーバイカーが巧みな技を披露し、多くの場合、自然の中で空中を飛ぶことができる屋外の冬季レクリエーション区域である。スキー場の敷地内にあるテレインパークが発展するよりも前に、スキー場では、全般的に、多くが違反者のリフト券又はシーズンパスを取り消すというペナルティの下、ジャンプ又はエア演技を禁止した。このため、完全なエア演技に目を向けるスノースポーツ愛好家は、バックカントリー区域にテレインパークを造ることになってしまった。敷地外にあるテレインパークのこのような経緯、敷地内にある多くのテレインパークが、人気のあるジャンプ場及び地形の前の長い行列により混雑していることが多いこと、そして、リフト券又はシーズンパスの費用を考えると、スノースポーツ愛好家の多くは、依然として、自分たち独自のテレインパークを造るために、バックカントリーに挑戦することを好んでいる。しかしながら、現在流通している雪をかき集め成形する道具を用い、バックカントリーにおいてテレインパークのジャンプ場を造ることは、非常に労働集約的な計画である。さらに、現在流通している雪成形具は扱いにくく、運びづらい。
【考案の概要】
【０００４】
先行技術の雪成形具における欠点を克服するために、ハンドヘルドすくい上げ成形器具が開発された。このような器具の１つは、雪成形部と、雪成形部に着脱可能に連結された第１の中空剛性軸部分と、を備える。器具は、さらに、複数の付加的な中空剛性軸部分であって、第１の中空剛性軸部分及び別の複数の付加的な中空剛性軸部分のうちの少なくとも１つの中に入れ子状に配置された、複数の付加的な中空剛性軸部分を備える。そして、器具は、ハンドルであって、付加的な中空剛性軸部分のうちの１つの端部に連結されるか又は一体化されたハンドルを備え得る。雪成形部は、すくい上げパネルを備える。すくい上げパネルは遠位器具端部を備え、遠位器具端部は、すくい上げパネルから外側に延びる複数の歯を有する。また、雪成形部は背面パネルも備え、背面パネルは、概して、すくい上げパネルに対向している。雪成形部は、さらに、第１の側壁と、第１の側壁に実質的に対向する第２の側壁と、を備える。そして、雪成形部は底面パネルを備え、底面パネルは、すくい上げパネル、背面パネル、第１の側壁及び第２の側壁に取り付けられる。
【０００５】
本考案の別の実施形態は、ショベルを拡張する方法を含む。このような方法の１つは、ショベルヘッドから複数の剛性軸部分を取り外すステップを含む。この方法は、ショベルヘッドから軸部分を取り外す際に、複数の剛性軸部分のうちの少なくとも１つをショベルヘッドボアに通すステップと、少なくとも１つの剛性軸部分の遠位端を有する、すくい上げパネルをショベルヘッドに連結するステップと、を含む。剛性軸部分がショベルヘッドに連結された後、複数の剛性軸部分が伸縮自在に拡張して、ショベルを使用することができる。
【０００６】
本考案の更に別の実施形態は、携帯用雪成形システムを含む。雪成形システムの１つは、底面パネルであって、底面に対向して配置された上面を有し、実質的に平らな底面パネルを備える。システムは、さらに、遠位端と、すくい上げパネルに対向して配置された背面パネルと、を備え、すくい上げパネルと背面パネルとの間に底面パネルが配置される。また、システムは、第１の側壁と、第１の側壁内に配置された第１の軸収容ボアと、第１の側壁に対向して配置された第２の側壁も備え、第１の側壁と第２の側壁との間に底面パネルが配置される。雪成形部の第１の側壁及び第２の側壁は、底面パネルから、底面パネルの底面とは反対の方向に延びる。第２の軸収容ボアは第２の側壁内に配置され、第１の中空剛性軸部分は、雪成形部に着脱可能に連結される。複数の付加的な中空剛性軸部分は、第１の中空剛性軸部分及び別の複数の付加的な中空剛性軸部分のうちの少なくとも１つの中に入れ子状に配置され、また、器具の搬送位置において、第１の中空剛性軸部分及び複数の付加的な中空剛性軸部分は、第１の軸収容ボア及び第２の軸収容ボアを通って延びる。
【図面の簡単な説明】
【０００７】
本考案の種々の目的及び利点並びに更に十分な理解は、次に示す添付図面とともに、以下の詳細な説明及び添付の実用新案登録請求の範囲を参照することによって明らかになり、更に容易に認識される。
【図１】本主題に係る雪を成形する携帯用装置の一実施形態を示す斜視図を描写する。
【図２Ａ】本主題に係る格納位置にある軸の一実施形態を示す側面図を描写する。
【図２Ｂ】本主題に係る格納位置にある軸の別の実施形態を示す破断側面図を描写する。
【図３】本主題に係る搬送位置に配置された雪を成形する携帯用装置の一実施形態を示す斜視図を描写する。
【図４】本考案の一実施形態に係る方法を描写する。
【図５】本考案の一実施形態に係る、すくい上げ位置にある器具の側面図を描写する。
【図６】本考案の一実施形態に係る搬送位置にある器具の上面図を描写する。
【考案を実施するための形態】
【０００８】
本明細書を通して、「一実施形態」、「実施形態」及び他の類似する語は、実施形態に関して説明されている特定の特徴、構造又は特性が、本考案の少なくとも１つの実施形態に含まれることを意味する。このため、本明細書を通して、「一実施形態において」、「実施形態において」、及び類似する語は、すべて同じ実施形態を指すことがあるが、必ずしもそうではない。
【０００９】
さらに、本考案の説明されている特徴、構造又は特性は、１つ以上の実施形態において適切な方法により組み合わせることができる。次の説明では、本考案の実施形態を十分に理解するように、数多くの特定の詳細を示す。ただし、当業者であれば、本考案は、特定の詳細のうちの１つ以上を用いずに、又は、他の方法、構成要素、材料などを用いて実施できることを認識する。他の例では、本考案の態様を不明瞭にしないようにするために、周知の構造、材料又は動作を詳細に示していないか又は説明していない。
【００１０】
まず図１に目を向けると、本主題に係る雪を成形する携帯用ハンドヘルドすくい上げ成形器具(portable handheld scooping and shaping device)１００の一実施形態を示す斜視図が見られる。このような器具１００の１つは、雪成形部１０２であって、複数の歯１０４が外側に延びる遠位器具端部１８４を有する、すくい上げパネル１１０を備える雪成形部と、雪成形部１０２に着脱可能に連結された第１の中空剛性軸部分１０６と、複数の付加的な中空剛性軸部分１０８ａ〜１０８ｃであって、第１の中空剛性軸部分１０６及び別の複数の付加的な中空剛性軸部分１０８ａ〜１０８ｃのうちの少なくとも１つの中に入れ子状に伸縮自在に配置された複数の付加的な中空剛性軸部分と、備えている。また、器具１００は、付加的な中空剛性軸部分１０８ａ〜１０８ｃのうちの少なくとも１つの端部に連結され一体化されたハンドル１４６も備えている。
【００１１】
一実施形態において、雪成形部１０２には、背面パネル１１２と、第１の側壁１１４と、第２の側壁１１６と、底面パネル１１８も含まれる。雪成形部１０２の背面パネル１１２は、概して、雪成形部１０２のすくい上げパネル１１０に対向している。底面パネル１１８は、雪成形部１０２のすくい上げパネル１１０と雪成形部１０２の背面パネル１１２との間に配置されている。同様に、雪成形部１０２の第１の側壁１１４は、概して、雪成形部１０２の第２の側壁１１６に対向して配置され、さらに、底面パネル１１８も、雪成形部１０２の第１の側壁１１４と雪成形部１０２の第２の側壁１１６との間に配置されている。
【００１２】
特定の実施形態において、底面パネル１１８は、実質的に平面であり、そして、底面パネルには、底面１２２に対向して配置された上面１２０が含まれる。このような実施形態では、雪成形部１０２のすくい上げパネル１１０は、雪成形部１０２の底面パネル１１８の上面１２０に対して鈍角をなして、底面パネル１１８から第１の方向（矢印１２４によって示されている。）に延びる。雪成形部１０２の背面パネル１１２は、雪成形部１０２の底面パネル１１８の上面１２０に対して鈍角をなして、底面パネル１１８から第２の方向（矢印１２６によって示されている。）に延びている。加えて、図３から理解されるように、背面パネル３１２は、隆起中央部(raised center portion)３６３であって、背面パネル３１２の他の領域より長い背面パネル長３７３を有する隆起中央部を備え得る。
【００１３】
ここで図３に目を向けると、背面パネルボア３４４を示す雪成形部３０２の一実施形態が見られる。図１から理解されるように、第１の中空剛性軸部分１０６は、ボア１４４を通って延び、すくい上げパネル１１０に連結することができる。ここで図３に戻ると、背面パネルボア３４４は、楕円を有するものとして示されている。背面パネル楕円は、長手方向軸線３４８と、長手方向軸線３４８によって切り分けられた対向する１対の背面パネル楕円面３４９´、３４９´´と、を備えている。図示されているように、これらの面３４９´、３４９´´の中央部３５０は、実質的に直線の部分を含み、これらの直線状中央部３５０は、実質的に平行である。中央部３５０は、中央部分３５０と称することもある。
【００１４】
底面パネル３１８は、近位端３６８と、遠位端３５８と、第１の端部３８８と、第２の端部３７８と、を備え、近位端３６８は遠位端３５８に対向し、第１の端部３８８は第２の端部３７８に対向している。すくい上げパネル３１０は遠位端３５８から延び、すくい上げパネルの前面と底面パネルの上面３２０とは、第１の鈍角３９８´をなして分離している。同様に、背面パネル３１２は近位端３６８から延び、底面パネルの上面３２０から背面パネルの前面３６７を第２の鈍角３９８´´をもって分離している。加えて、第１の側壁３１４は第１の端部３８８から延び、第１の端部の前面３８７及び底面パネルの上面３２０は、ほぼ直角又は鈍角３９７を形成する。同様に、第２の側壁３１６の前面（図３には図示されていない。）も、底面パネルの上面３２０とほぼ直角又は鈍角を形成し得る。例えば角度３９８´、３９８´´及び３９７であるが、これらに限定されない、本明細書に説明されている角度は、０度よりも大きく１８０度よりも小さな角度、好ましくは９０度〜１２０度の角度を有し得ると考えられる。
【００１５】
ここで図１に戻ると、すくい上げ位置にある器具１００が見られる。器具は、すくい上げ位置において、雪のような物であるがこれに限定されない物をすくい上げるのに用いることができる。このような位置では、第１の中空剛性軸部分１０６は、器具のすくい上げ位置において、すくい上げパネル１１０に連結され得る。例えば、第１の中空剛性軸部分１０６は、ボア１４４を通って延びていてもよく、第１の中空剛性軸部分１０６の第１の端部１５６は、軸連結機構１３６に連結され、また、複数の付加的な中空剛性軸部分１０８ａ〜１０８ｃは、第１の中空剛性軸部分１０６の第２の端部１６６に接続可能に連結されて(connectively coupled)、軸１４０全体を拡張位置に形成してもよい。軸連結機構１３６、３３６は、すくい上げパネル１１０に連結されるか又は一体化され、図３から理解されるように、連結管３０４を備え得る。連結管３０４は、軸１０６、１０８ａ〜１０８ｃに類似する楕円形状断面を有し、第１の中空剛性軸部分１０６の楕円長さ１７１´´´´よりも小さな楕円長さを有し、その結果、連結管３０４は、第１の中空剛性軸部分１０６がボア３４４を通る際に、第１の中空剛性軸部分１０６に挿入され得る。このため、連結管の収容端部３８６は、ボア３４４に対向し面していると考えられる。図３を見ると、器具搬送位置にある器具３００が示されている。図示されているように、軸３４０全体は収縮位置にあり、第１の軸収容ボア３３２及び第２の軸収容ボア３３４内に配置されている。いずれの位置であっても、ハンドル１４６、３４６は、長手方向軸線全体に対して直交するように延び、ハンドル１４６は、図１から理解される、すくい上げ位置の近位器具端部１７４に配置され得る。図３から見ることを含めて、背面パネルボア３４４と同様に、第１の軸収容ボア３３２及び第２の軸収容ボア３３４は、図１から理解されるように、楕円長さ１５１を有する側壁楕円を備え、楕円長さ１５１は、図３から理解される楕円長さ３６１よりも小さくてもよい。また、側壁楕円は、長手方向軸線と、長手方向軸線によって切り分けられた対向する１対の側壁楕円面も備え得る。背面パネル３１２のように、これらの側壁楕円面の中央部分は、実質的に直線の部分を含み、これらの直線状中央部分は、実質的に平行であり得る。直線部分は、本明細書では直線部と称することもあることが想定される。
【００１６】
さらに、断面、例えば、第１の中空剛性軸部分１０６及び複数の付加的な中空剛性軸部分１０８ａ〜１０８ｃの断面Ｂ‐Ｂであるが、これらに限定されない断面は、軸楕円も有し得ることが考えられる。軸楕円は、側壁楕円及び背面パネル楕円に類似し、同様に、長手方向軸線と、長手方向軸線によって切り分けられた対向する１対の軸楕円面を備え得る。背面パネル３１２のように、これらの軸楕円面の中央部分は、実質的に直線の部分を含み、これらの直線状中央部分は、実質的に平行であり得る。中空軸部分１０６、１０８ａ〜１０８ｃが伸縮自在に拡張及び収縮することができるように、付加的な中空軸部分１０８ｃの軸楕円長さ１７１は、付加的な中空軸部分１０８ｂの軸楕円長さ１７１´´よりも小さく、付加的な中空軸部分１０８ｂの軸楕円長さ１７１´´は、付加的な中空軸部分１０８ａの軸楕円部分長さ１７１´´´よりも小さく、付加的な中空軸部分１０８ａの軸楕円部分長さ１７１´´´は、第１の中空軸部分の軸楕円部分長さ１７１´´´´よりも小さくてもよい。加えて、第１の中空剛性軸部分の軸楕円部分長さ１７１´´´´は、図３から理解されるように器具３００が搬送位置にあるときに、収縮した／折り畳まれた軸１４０全体をボア３３２、３３４に配置することができるように、側壁楕円の長さ１５１よりも小さくてもよい。
【００１７】
ここで図２Ａ及び２Ｂに目を向けると、それぞれ、伸縮自在に折り畳まれた搬送位置にある軸２４０全体及びハンドル２４６の側面図と、図２Ａの線Ａ‐Ａに沿って伸縮自在に折り畳まれた搬送位置にある軸２４０全体及びハンドル２４６の断面図と、が見られる。図示されているように、第１の付加的な軸部分２０８ａは、少なくとも１つの付勢具(biasing device)１５２ａと、１対のプランジャ１６２ａと、を備え、少なくとも１つの付勢具１５２ａ及びプランジャ１６２ａは、プッシュピン１４２ａを備えている。同様に、第２の付加的な軸部分２０８ｂは、少なくとも１つの付勢具１５２ｂと、プッシュピン１４２ｂを備えたプランジャ１６２ｂと、を備え、また、第３の付加的な軸部分２０８ｃは、少なくとも１つの付勢具１５２ｃと、プッシュピン１４２ｃを備えたプランジャ１６２ｃと、を備えている。図１から理解されるように、プッシュピン１４２ａ〜１４２ｃは、第１の中空剛性軸部分１０６、及び付加的な中空剛性軸部分１０８ａ〜１０８ｃのそれぞれにおいて、ボアを通って延び、拡張位置において隣接する中空剛性軸部分と嵌合する。特定の実施形態では、プッシュピン１４２ａ〜１４２ｃを、第１の中空剛性軸部分１０６のボア、及び付加的な中空剛性軸部分１０８ａ〜１０８ｃのそれぞれに嵌合するか又はこれらから外すことにより、背の高いか若しくは低いユーザに合わせて軸１４０全体の長さを調整し、折り畳み、及び／又は軸１４０全体に付加的な部分を追加することができる。特定の実施形態において、軸１４０全体の長さは、ユーザの好みに応じて調整することができる。
【００１８】
ここで図４に目を向けると、ショベルを拡張する方法４８３が見られる。このようなショベルの１つは、図１〜３を参照して理解され説明された器具１００、３００を備えている。符号４９４において、方法４８３は、ショベルヘッドから複数の剛性軸部分を取り外すことを含む。例えば、ショベルヘッドは、図１から理解される雪収容空間１３０を備えていてもよい。さらに、複数の剛性軸部分を取り外すことは、図３から理解されるように、第１の軸収容ボア３３２及び第２の軸収容ボア３３４の中で、図２Ａから理解されるように、軸２４０全体を摺動させることを含み得る。
【００１９】
符号４７４において、方法４８３は、複数の剛性軸部分のうちの少なくとも１つをショベルヘッドボアに通すことを含む。ここで、この方法４８３の一実施形態は、第１の中空剛性軸部分１０６の第１の端部１５６を、すくい上げパネル３１０の方へ背面パネルボア３４４に挿入することを含み得る。符号４６４において、方法４８３は、少なくとも１つの剛性軸部分の遠位端をショベルヘッドに連結することを含む。ここで、遠位端は第１の端部１５６を備え、ショベルヘッドは軸連結機構３３６を備え得る。さらに、雪収容空間１３０から、折り畳まれた軸３４０全体を取り外した後、第１の端部１５６を軸連結機構に連結するために、軸ボア２９５は、軸連結機構のプッシュピン１３８を収容するように露出させる必要があり得ることが考えられる。軸連結機構のプッシュピン１３８は、すくい上げパネル１１０に配置することができる。これらのボア２９５を露出させるために、第１の中空剛性軸部分１０６は、折り畳まれた位置から少なくとも部分的に拡張する必要があり得る。例えば、付加的な部分１０８ｃの近位端１５２に連結されたプッシュピン１４８ｂを押し込んで、第１の中空剛性軸部分１０６の第２の端部２６６、１６６に近接するボアから、プッシュピン１４８ｂを取り外してもよい。プッシュピン１４８ｂが押し込まれると、第１の中空剛性軸部分１０６の第１の端部１５６、２５６がハンドル２４６から離れるように摺動し、ボア２９５を露出させることができる。ボア２９５は、露出すると、軸連結機構のプッシュピン１３８と位置合わせされ、プッシュピンを収容し得る。
【００２０】
符号４５４において、方法４８３は、複数の剛性軸部分を伸縮自在に拡張することを含む。これは、このような方法の１つにおいて、ステップ４６４を参照して上述したステップを実行することによって行われ、プッシュピン１４８ｂを押し込み、付加的な部分１０８ａ〜１０８ｃがハンドル２４６から離れるように摺動する。そして、付加的な部分１０８ａ〜１０８ｃに連結されたプッシュピン１４２ａ〜１４２ｃは、付加的な部分１０８ａ〜１０８ｃのそれぞれの近位端の近くに位置するボアに拡張することができる。同様に、図３から理解されるように、器具３００を搬送位置に配置するように、方法４８３は、複数の軸部分１０６、１０８ａ〜１０８ｃを１対の側壁ボア３３２、３３４に配置してから、これらの軸部分１０６、１０８ａ〜１０８ｃをショベルヘッドから取り外すことも含み得る。複数の軸部分１０６、１０８ａ〜１０８ｃを１対の側壁ボア３３２、３３４に配置するように、プッシュピン１３８、１４２ａ〜１４２ｃ、１４４８を押し込んで、軸１４０全体を折り畳むことができる。
【００２１】
さらに、複数の軸部分１０６、１０８ａ〜１０８ｃを１対の側壁ボア３３２、３３４に配置することは、実質的に平行な１対の軸中央部を、実質的に平行な１対の側壁ボア中央部と位置合わせすることを含み得ると考えられる。さらに、複数の剛性軸部分１０６、１０８ａ〜１０８ｃの少なくとも１つをショベルヘッドボア３４４に通すことは、実質的に平行な１対の軸中央部を、実質的に平行なショベルヘッドボア中央部と位置合わせすることを含み得る。このような方法において、ショベルヘッドボア３４４は、実質的に平行な１対のショベルヘッドボア中央部３５０を備え、また、側壁ボア３３４、３４４も、ショベルヘッドボア中央部３５０と同様の実質的に平行な１対の側壁ボア中央部を備え得る。加えて、複数の剛性軸部分１０６、１０８ａ〜１０８ｃの断面も、ショベルヘッドボア中央部３５０と同様の実質的に平行な１対の軸中央部を備え得る。
【００２２】
雪をかき集め成形するシステム(a snow shaping an shoveling system)について説明する際には、歯１０４は、雪成形部１０２のすくい上げパネル１１０の前縁部１２８から外側に延びることが考えられる。描写されているように、雪成形部１０２のすくい上げパネル１１０の前縁部１２８は、雪成形部１０２の背面パネル１１２に対向して配置された縁部である。
【００２３】
一実施形態において、雪成形部１０２の第１の側壁１１４及び第２の側壁１１６は、底面パネル１１８から、底面パネル１１８の底面１２２とは反対の方向に延びる。このような実施形態では、すくい上げパネル１１０、背面パネル１１２、第１の側壁１１４、第２の側壁１１６及び底面パネル１１８は、雪収容空間１３０を画定する。使用時には、雪成形部１０２のすくい上げパネル１１０の前縁部１２８を用いて雪をかき取り、雪を成形してテレインパークの特徴を形成することができる。雪成形部１０２のすくい上げパネル１１０の前縁部１２８を用いて雪がかき取られると、雪は、雪収容空間１３０に集められて除去されるか又は搬送される。
【００２４】
上述したように、一実施形態において、雪を成形する携帯用器具１００には、第１の中空剛性軸部分１０６が含まれる。第１の中空剛性軸部分１０６は、雪成形部１０２に着脱可能に連結することができる。例示的な実施形態において、第１の中空剛性軸部分１０６は、雪成形部１０２のすくい上げパネル１１０に連結可能である。一実施形態、例えば図１に示されている実施形態において、器具１００には、雪成形部１０２のすくい上げパネル１１０に連結された軸連結機構１３６が含まれ得る。軸連結機構１３６の少なくとも一部は、第１の中空剛性軸１０６内に収容され、第１の中空剛性軸１０６を、雪成形部１０２のすくい上げパネル１１０に着脱可能に固定する。
【００２５】
一実施形態において、第１の中空剛性軸部分１０６は、プッシュピン１３８、又は当技術分野において知られている他の解除機構を用いて、軸連結機構１３６に着脱可能に連結される。このような実施形態では、第１の中空剛性軸１０６は、雪成形部１０２から切り離して、バックカントリー目的地への到達において搬送を容易にすることができる。
【００２６】
器具１００には、複数の付加的な中空剛性軸部分１０８ａ〜１０８ｃが含まれている。それぞれの付加的な中空剛性軸部分１０８ａ〜１０８ｃは、第１の中空剛性軸部分又は付加的な中空剛性軸部分１０８ａ〜１０８ｃのうちの別の１つの中に入れ子状に配置されている。例えば、図１に示されている実施形態において、第１の中空剛性軸部分１０６は、付加的な剛性軸部分１０８ａの外径よりも大きな内径を有する。このため、付加的な中空剛性軸部分１０８ａは、第１の中空剛性軸部分１０６内を摺動可能であり、付加的な剛性軸部分１０８ａは、装置が格納位置２０２（図２Ａ及び２Ｂを参照）に配置されるとき、第１の中空剛性軸部分１０６の中で入れ子状になる。他の付加的な中空剛性軸部分１０８ｂ及び１０８ｃはそれぞれ、軸１４０全体が拡張位置１０１と格納位置２０２との間を伸縮自在に拡張可能及び収縮可能であるように、実質的に同じような方法により、互いに入れ子状に配置されている。
【００２７】
一実施形態において、雪成形部１０２の背面パネル１１２には、背面パネルを貫通している背面パネルボア１４４が含まれる。このような実施形態では、第１の中空剛性軸１０６は、雪成形部１０２の背面パネル１１２にある背面パネルボア１４４を通って延び、雪成形部１０２のすくい上げパネル１１０に着脱可能に連結して、雪成形部１０２のすくい上げパネル１１０を支持することができる。第１の中空剛性軸１０６は、雪成形部１０２の背面パネル１１２にある背面パネルボア１４４を通って延びているため、第１の中空剛性軸１０６も、雪成形部の背面パネル１１２を支持する。
【００２８】
特定の実施形態において、器具１００にはハンドル１４６も含まれる。一実施形態において、ハンドル１４６は、第１の中空剛性軸部分１０６に着脱可能に連結することができる。このような実施形態では、ハンドル１４６は、第１の中空剛性軸部分１０６に対して実質的に直交するように延び、図１に示されているように、連結位置に配置されている。例示的な実施形態において、ハンドル１４６は、搬送を容易にするように、プッシュピン１４８によって着脱可能である。
【００２９】
他の実施形態において、ハンドル１４６は、複数の付加的な中空剛性軸部分１０８ａ〜１０８ｃのうちの少なくとも１つにも着脱可能に連結することができる。これにより、背の高いか若しくは低いユーザに合わせるか、又はユーザの好みに合わせて、軸１４０の長さを調整することができる。
【００３０】
上述したように、図１は、軸１４０を拡張位置１０１に配置した、雪を成形する器具１００を描写している。当業者であれば、軸１４０が拡張位置１０１に配置されていると、器具１００は扱いにくく、運びづらいことを認識する。したがって、特定の実施形態では、器具１００を都合よく搬送するために、軸１４０を、図２Ａ及び２Ｂに示されているように、格納位置２０２に配置することができる。
【００３１】
例えば、図２Ａは、本主題に係る格納位置２０２にある器具１００の軸１４０の一実施形態を示す側面図を描写している。図２Ａに示されている実施形態において、付加的な中空剛性軸部分１０８ａ〜１０８ｃは、互いにかつ第１の中空剛性軸部分１０６の中に連続して入れ子状になっている。プッシュピン１４２ａ及びプッシュピン１４８は、第１の中空剛性軸部分１０６の穴を通って延び、付加的な中空剛性軸部分１０８ａ〜１０８ｃを、第１の中空剛性軸部分１０６の中に入れ子状に維持する。
【００３２】
図２Ｂは、本主題に係る格納位置２０２にある器具１００の軸１４０の別の実施形態を示す線Ａ‐Ａに沿った破断側面図である。上述したように、特定の実施形態において、付加的な中空剛性軸部分１０８ａ〜１０８ｃは、互いの中に入れ子状に配置され、さらに、第１の中空剛性軸部分１０６の中に入れ子状に配置される。
【００３３】
例示的な実施形態において、プッシュピン１４２ａ〜１４２ｃ及び１４８には、２つのピン留め要素と、付勢要素と、が含まれる。例えば、プッシュピン１４８には、ピン留め要素１４８ａ及び１４８ｂと、付勢要素２０４と、が含まれている。付勢要素２０４は、ピン留め要素１４８ａ及び１４８ｂを、嵌合位置であって、ピン留め要素１４８ａ及び１４８ｂが、第１の剛性軸部分１０６の穴及び付加的な中空剛性軸部分１０８ａ〜１０８ｃの穴を通って延びる嵌合位置に付勢している。このように、ピン留め要素１４８ａ及び１４８ｂは、第１の剛性軸部分１０６と、付加的な中空剛性軸部分１０８ａ〜１０８ｃとを嵌合して、軸１４０を格納位置２０２に維持する。当業者であれば、プッシュピン１４２ａ〜１４２ｃは、プッシュピン１４８が構成され機能するのと実質的に同様に、構成され機能することを認識する。したがって、プッシュピン１４２ａ〜１４２ｃにはそれぞれ、２つのピン留め要素と、付勢要素と、が含まれる。
【００３４】
上述したように、スノースポーツ愛好家の多くは、自分たち独自のテレインパークを造るために、バックカントリーに挑戦することを好んでいる。このような愛好家にとっては、器具１００は、容易に搬送可能であることが重要である。したがって、器具１００は、バックパック又は他の搬送器具内に収まることができるようなサイズに容易に分解される必要がある。本主題は、このような装置を開示している。
【００３５】
例えば、図３は、本主題に係る、搬送位置３０２に配置された、雪を成形する携帯用器具１００の別の実施形態を示す斜視図である。図３に示されている実施形態において、軸１４０は、軸連結機構１３６から離され、図２Ａ及び２Ｂに示されているように、格納位置２０２に配置されている。軸１４０を軸連結機構１３６から取り外すように、ユーザは、プッシュピン１３８を押し込んで、軸連結機構１３６の一部である軸連結管３０４から、第１の中空剛性軸部分１０６を摺動させる。
【００３６】
軸１４０が格納位置２０２に配置されると、軸１４０は、搬送位置３０２に配置できる状態にある。ユーザが第１の中空剛性軸部分１０６を伸ばすと、複数の付加的な中空剛性軸部分１０８ａ〜１０８ｃは、第１の軸収容ボア１３２を通り、そして第２の軸収容ボア１３４を通って延びる。特定の実施形態において、軸１４０が第１の軸収容ボア１３２内を摺動してプッシュピン１４８及びプッシュピン１４２ａが第１の側壁１１４に面する場合には、プッシュピン１４８及びプッシュピン１４２ａは押し込まれる必要がある。いったんプッシュピン１４８が第１の軸収容ボア１３２を通ると、プッシュピン１４８は、軸１４０を搬送位置３０２に効果的にロックする拡張位置に戻る。このため、搬送位置３０２では、器具１００はコンパクトであり、容易に搬送可能である。
【００３７】
図５は、雪成形部５０２及び軸５４０全体を示す、すくい上げ位置にある器具５００の側面図を示している。図６は、すくい上げパネル６１０、背面パネル６１２、第１の側壁６１４、第２の側壁６１６、及び軸連結機構６３６を示す、搬送位置にある器具６００の上面図を表している。
【００３８】
本考案は、その真意又は本質的な特性から逸脱することなく、他の特定の形態により具体化することができる。説明されている実施形態は、すべての点において、例示的なものにすぎず、限定的なものではないと考えられる。したがって、本考案の範囲は、前述の説明によってではなく、添付の実用新案登録請求の範囲によって示される。実用新案登録請求の範囲と均等の意味及び範囲内に入るすべての変形は、実用新案登録請求の範囲内に包含される。
【図１】
0003216520.tif 000003
【図２Ａ】
0003216520.tif 000004
【図２Ｂ】
0003216520.tif 000005
【図３】
0003216520.tif 000006
【図４】
0003216520.tif 000007
【図５】
0003216520.tif 000008
【図６】
0003216520.tif 000009
【手続補正書】
【提出日】平成30年1月18日(2018.1.18)
【手続補正２】
【補正対象書類名】明細書
【補正対象項目名】００３８
【補正方法】変更
【補正の内容】
【００３８】
本考案は、その真意又は本質的な特性から逸脱することなく、他の特定の形態により具体化することができる。説明されている実施形態は、すべての点において、例示的なものにすぎず、限定的なものではないと考えられる。したがって、本考案の範囲は、前述の説明によってではなく、添付の実用新案登録請求の範囲によって示される。実用新案登録請求の範囲と均等の意味及び範囲内に入るすべての変形は、実用新案登録請求の範囲内に包含される。
なお、本考案の実施態様の参考例として以下のものが想定される。
[参考例１]
ショベルを拡張する方法において、
ショベルヘッドから複数の剛性軸部分を取り外すステップと、
前記複数の剛性軸部分のうちの少なくとも１つの剛性軸部分の遠位端をショベルヘッドボアに通すステップと、
前記少なくとも１つの剛性軸部分の前記遠位端を前記ショベルヘッドに連結するステップと、
前記複数の剛性軸部分を伸縮自在に拡張するステップと、
を含む前記方法。
[参考例２]
前記複数の剛性軸部分を取り外すステップが、前記複数の剛性軸部分を、少なくとも１つのショベルヘッド側壁の側壁ボア内に摺動させるステップを含む、上記参考例１に記載の方法。
[参考例３]
さらに、前記複数の剛性軸部分を前記ショベルヘッドから取り外す前に、ステップ前記複数の剛性軸部分を１対の側壁ボアに配置するステップを含む、上記参考例２に記載の方法。
[参考例４]
前記ショベルヘッドボアが、実質的に平行な１対のショベルヘッドボア中央部を備え、
前記側壁ボアが、実質的に平行な１対の側壁ボア中央部を備え、
前記複数の剛性軸部分の断面が、実質的に平行な１対の軸中央部を備え、
前記複数の剛性軸部分を１対の側壁ボアに配置するステップが、前記実質的に平行な１対の軸中央部を、実質的に平行な１対の側壁ボア中央部と位置合わせするステップを含み、
前記複数の剛性軸部分のうちの少なくとも１つをショベルヘッドボアに通すステップが、実質的に平行な１対の軸中央部を、前記実質的に平行なショベルヘッドボア中央部と位置合わせするステップを含む、上記参考例２に記載の方法。
[参考例５]
前記ショベルヘッドが、すくい上げパネルを備え、
前記少なくとも１つの剛性軸部分の前記遠位端を前記ショベルヘッドに連結するステップが、前記軸部分の前記遠位端を前記すくい上げパネルに連結するステップを含む、上記参考例１に記載の方法。
【手続補正３】
【補正対象書類名】実用新案登録請求の範囲
【補正対象項目名】全文
【補正方法】変更
【補正の内容】
【実用新案登録請求の範囲】
【請求項１】
ハンドヘルドすくい上げ成形器具において、
雪成形部であって、
複数の歯が外側に延びる遠位器具端部を備えるすくい上げパネルと、
概して、前記すくい上げパネルに対向する背面パネルと、
第１の側壁と、
前記第１の側壁に実質的に対向する第２の側壁と、
前記すくい上げパネル、
前記背面パネル、
前記第１の側壁、及び、
前記第２の側壁
に連結され一体化された底面パネルと、
を備えた前記雪成形部と、
前記雪成形部に着脱可能に連結された第１の中空剛性軸部分と、
複数の付加的な中空剛性軸部分であって、それぞれが、前記第１の中空剛性軸部分及び別の複数の付加的な中空剛性軸部分のうちの少なくとも１つの中に入れ子状に配置された、前記複数の付加的な中空剛性軸部分と、
前記付加的な中空剛性軸部分のうちの少なくとも１つの端部に連結され一体化されたハンドルと、
を備える前記器具。
【請求項２】
前記背面パネルが背面パネルボアを備え、
前記第１の中空剛性軸部分が、前記すくい上げパネルから、前記背面パネルボアを通って延びる、
請求項１に記載の器具。
【請求項３】
前記背面パネルボアが背面パネル楕円を備え、
前記背面パネル楕円が、
長手方向軸線と、
前記長手方向軸線によって切り分けられた対向する１対の背面パネル楕円面と、
を備え、
前記背面パネル楕円面のそれぞれの中央部が、直線部分を含み、
前記直線部分が実質的に平行である、
請求項２に記載の器具。
【請求項４】
前記底面パネルが、上面と、近位端と、遠位端と、第１の端部と、第２の端部と、を備え、
前記近位端が前記遠位端に対向し、
前記第１の端部が前記第２の端部に対向し、
前記近位端及び前記遠位端が、前記第１の端部及び前記第２の端部に対して実質的に直交し、
前記すくい上げパネルが、前記遠位端から第１の方向に、前記上面に対して第１の鈍角をなして延び、
前記背面パネルが、前記近位端から第２の方向に、前記上面に対して第２の鈍角をなして延び、前記第２の方向が前記第１の方向とは異なる、
請求項１に記載の器具。
【請求項５】
前記第１の側壁が、前記第１の端部から、前記上面に対してほぼ直角及び鈍角のうちの１つをなして延び、
前記第２の側壁が、前記第２の端部から、前記上面に対してほぼ直角及び鈍角のうちの１つをなして延び、
前記すくい上げパネル、前記背面パネル、前記第１の側壁、前記第２の側壁、及び前記底面パネルが、雪収容空間を画定する、
請求項４に記載の器具。
【請求項６】
前記背面パネルが背面パネル前面を備え、
前記すくい上げパネルが、すくい上げパネル前面を備え、
前記すくい上げパネル前面に対する前記背面パネル前面の角度が、０度よりも大きく１８０度よりも小さい、
請求項５に記載の器具。
【請求項７】
前記角度が９０度〜１２０度の角度を有する、請求項６に記載の器具。
【請求項８】
前記第１の中空剛性軸部分が、器具のすくい上げ位置において、前記すくい上げパネルに連結され、
前記第１の側壁及び前記第２の側壁のうちの少なくとも１つには、少なくとも１つの軸収容ボアが含まれ、
前記少なくとも１つの軸収容ボアが、器具の搬送位置にある前記第１の中空剛性軸部分及び前記複数の付加的な中空剛性軸部分を収容する、
請求項３に記載の器具。
【請求項９】
前記ハンドルが、前記付加的な中空剛性軸部分に対して実質的に直交するように延び、
前記ハンドルが、前記器具のすくい上げ位置の近位器具端部に配置される、
請求項８に記載の器具。
【請求項１０】
前記第１の側壁には第１の軸収容ボアが含まれ、
前記第２の側壁には第２の軸収容ボアが含まれ、
前記第１の中空剛性軸部分及び前記複数の付加的な中空剛性軸部分が、前記器具の搬送位置にある前記第１の軸収容ボア及び前記第２の軸収容ボアを通って延びる、
請求項８に記載の器具。
【請求項１１】
前記第１の軸収容ボア及び前記第２の軸収容ボアがそれぞれ、側壁楕円を備え、
前記側壁楕円が、
長手方向軸線と、
前記長手方向軸線によって切り分けられた対向する１対の側壁楕円面と、
を備え、
前記側壁楕円面の中央部が直線部分を含み、
前記対向する１対の側壁楕円面の前記直線部分が、実質的に平行である、
請求項１０に記載の器具。
【請求項１２】
前記第１の中空剛性軸部分及び前記複数の付加的な中空剛性軸部分の断面が、軸楕円を有し、
前記軸楕円が、
長手方向軸線と、
前記長手方向軸線によって切り分けられた対向する１対の軸楕円面と、
を備え、
前記軸楕円面の中央部が直線部分を含み、
前記対向する１対の軸楕円面の前記直線部分が、実質的に平行である、
請求項１１に記載の器具。
【請求項１３】
さらに、軸連結機構を備え、該軸連結機構が、前記背面パネルボアに対向する前記すくい上げパネルに連結され一体化され、前記軸連結機構が、前記器具のすくい上げ位置にある前記第１の中空剛性軸部分の第１の端部を受け入れる、請求項８に記載の器具。
【請求項１４】
前記軸連結機構及び第１の中空剛性軸のうちの一方が、付勢具及び１対のプランジャのうちの少なくとも１つを備え、前記軸連結機構及び第１の中空剛性軸のうちの他方が、前記プランジャを収容する１対のプランジャボアを備える、請求項１３に記載の器具。
【請求項１５】
前記第１の中空剛性軸部分及び前記複数の付加的な中空剛性軸部分が、伸縮軸を備え、前記付加的な中空剛性軸部分がそれぞれ、１対の付勢プランジャ及び１対のボアのうちの少なくとも１つを備え、前記１対のボアがそれぞれ、隣接する中空剛性軸部分の１対の付勢プランジャを収容するためのものである、請求項１４に記載の器具。
【請求項１６】
携帯用雪成形システムにおいて、
底面に対向して配置された上面を備え、実質的に平らな底面パネルと、
遠位端と、
すくい上げパネルと、
前記すくい上げパネルに対向して配置された背面パネルであって、前記すくい上げパネルと前記背面パネルとの間に前記底面パネルが配置される、前記背面パネルと、
第１の側壁と、
前記第１の側壁内に配置された第１の軸収容ボアと、
前記第１の側壁に対向して配置された第２の側壁であって、前記第１の側壁と前記第２の側壁との間に前記底面パネルが配置され、前記第１の側壁及び前記第２の側壁が、前記底面パネルから、前記底面パネルの底面とは反対の方向に延びる、前記第２の側壁と、
前記第２の側壁内に配置された第２の軸収容ボアと、
前記すくい上げパネルに着脱可能に連結することができる第１の中空剛性軸部分と、
複数の付加的な中空剛性軸部分であって、それぞれが、前記第１の中空剛性軸部分及び別の複数の付加的な中空剛性軸部分のうちの少なくとも１つの中に入れ子状に配置された、前記複数の付加的な中空剛性軸部分と、
を備え、
器具の搬送位置において、前記第１の中空剛性軸部分及び前記複数の付加的な中空剛性軸部分が、前記第１の軸収容ボア及び前記第２の軸収容ボアを通って延びる
前記システム。